(57)【要約】【課題】互いに嵌まり合う少なくとも２つの部品で形成された交換用グリルを提供する。【解決手段】流体入口を一端に有するハンドルと、電力ケーブルとを備え、流体入口が、電力ケーブルを少なくとも部分的に取り巻いて形成されて、２つの部品から形成されたフィルタグリルを含む、ヘアケア機器を開示する。フィルタグリルは、ハンドルの長さに少なくとも部分的に沿って延びることができる。ハンドル及びフィルタグリルは円筒形とすることができる。フィルタグリルの２つの部品は、互いに結合して組立グリルを形成することができる。組立グリルは、機器のハンドルから取り外すことができる。組立グリルは、機器のハンドルから取り外された時に電力ケーブルの周囲に保持することができる。フィルタグリルの２つの部品は、重なり接合部を介して結合することができる。【選択図】図３
2018149286.tif 000002
【特許請求の範囲】
【請求項１】
ヘアケア機器であって、流体入口を一端に有するハンドルと、電力ケーブルとを備え、前記流体入口は、前記電力ケーブルの少なくとも部分的に周りに形成され、前記流体入口は、重なり接合部を介して結合する２つの部品から形成されたフィルタグリルを含む、
ことを特徴とする機器。
【請求項２】
前記フィルタグリルは、前記ハンドルの長さに少なくとも部分的に沿って延びる、
請求項１に記載の機器。
【請求項３】
前記ハンドル及び前記フィルタグリルは円筒形である、
請求項１又は２に記載の機器。
【請求項４】
前記フィルタグリルの前記２つの部品は、互いに結合して組立グリルを形成する、
請求項１から３のいずれかに記載の機器。
【請求項５】
前記組立グリルは、前記機器の前記ハンドルから取り外し可能である、
請求項４に記載の機器。
【請求項６】
前記組立グリルは、前記機器の前記ハンドルから取り外された時に前記電力ケーブルの周囲に保持される、
請求項４又は５に記載の機器。
【請求項７】
前記フィルタグリルは、第１の端部と第２の端部とを有し、前記重なり接合部は、前記第１の端部から前記第２の端部に延びる、
請求項１に記載の機器。
【請求項８】
前記重なり接合部は組み合わさる、
請求項１から７のいずれかに記載の機器。
【請求項９】
前記２つの部品は、区分において接合される、
請求項１から８のいずれかに記載の機器。
【請求項１０】
前記フィルタグリルは外面を有し、前記２つの部品は、第１の部品及び第２の部品を含む、
請求項９に記載の機器。
【請求項１１】
前記フィルタグリルは第１の区分を含み、該第１の区分では第１の部品が前記外面を構成する、
請求項１０に記載の機器。
【請求項１２】
前記フィルタグリルは第２の区分を含み、該第２の区分では第２の部品が前記外面を構成する、
請求項１０又は１１に記載の機器。
【請求項１３】
前記フィルタグリルは第３の区分を含み、該第３の区分では第１の部品が前記外面を構成する、
請求項１０から１２のいずれかに記載の機器。
【請求項１４】
前記フィルタグリルは第４の区分を含み、該第４の区分では第１の部品が前記外面を構成する、
請求項１０から１３のいずれかに記載の機器。
【請求項１５】
前記２つの部品は、３つの区分において接合され、中間区分では一方の部品が前記外面を構成し、その隣接区分では第２の部品が前記外面を構成する、
請求項１０に記載の機器。
【請求項１６】
前記フィルタグリルは、前記ハンドルの端部を少なくとも部分的に横切って広がる、
請求項１から１５のいずれかに記載の機器。
【請求項１７】
前記２つの部品は、前記ハンドルの前記端部を横切って接合される、
請求項１６に記載の機器。
【請求項１８】
ヘアケア機器であって、フィルタグリルと内部フィルタとで形成された流体入口を備え、前記フィルタグリルは、２つの別個の部品から形成される、
ことを特徴とする機器。
【請求項１９】
前記２つの別個の部品は、前記流体入口の少なくとも１つの開口部をそれぞれが含む、
請求項１８に記載の機器。
【請求項２０】
前記フィルタグリルは樽形である、
請求項１８又は１９に記載の機器。
【請求項２１】
２つの別個の部品は、重なり接合部を介して互いに結合する、
請求項１８から２０のいずれかに記載の機器。
【請求項２２】
前記別個の部品は、一対の重なり接合部を介して互いに結合する、
請求項２１に記載の機器。
【請求項２３】
前記重なり接合部は組み合わさる、
請求項２１又は２２に記載の機器。
【請求項２４】
前記フィルタグリルは外面を有し、前記２つの部品の一部は、前記重なり接合部に沿って前記外面の一部を形成する、
請求項２３に記載の機器。
【請求項２５】
ヘアケア機器上のフィルタグリルを交換する方法であって、
（ａ）フィルタグリルを２つの部品で準備するステップと、
（ｂ）前記２つの部品を互いに連結することによって前記フィルタグリルを組み立てるステップと、
（ｃ）前記フィルタグリルを機器に取り付けるステップと、
を含むことを特徴とする方法。
【請求項２６】
前記機器は、外壁を有するハンドルを含み、前記フィルタグリルは、前記機器に取り付けられた時に、前記ハンドルの前記外壁の続きを形成する、
請求項２５に記載の方法。
【請求項２７】
前記機器は、電力ケーブルを含み、前記フィルタグリルは、前記電力ケーブルの周囲に組み立てられる、
請求項２５又は２６に記載の方法。
【請求項２８】
前記機器はヘアドライヤである、
請求項１から２７のいずれかに記載の機器。
【請求項２９】
前記機器は温風整髪装置である、
請求項１から２８のいずれかに記載の機器。
【発明の詳細な説明】
【技術分野】
【０００１】
本発明は、ヘアケア機器に関し、特にヘアケア機器のフィルタに関する。
【背景技術】
【０００２】
従来の温風整髪機器では、ファンユニットによって入口に空気が吸い込まれ、出口によって毛髪に向けられる。多くの場合、１つの機器には異なる付属品が提供され、各付属品は異なる出口を、従って乾燥、カール又はボリューム付けなどの異なる機能を有する。空気は、所望のスタイルに応じて加熱することも、又 はしないこともできる。付属品は、スタイリングのために毛髪を巻き付けて保持する毛状突起を含むことができる。従来、機器に入り込む流体を濾過してちり及び毛髪を除去するためにフィルタが設けられる。
【０００３】
例えば、比較的大きな開口部を有するグリルと、比較的小さな開口部を有する内部フィルタとを備えた多層濾過システムを設けることが知られている。多くの場合、グリルは、内部フィルタの洗浄、或いは損傷時におけるフィルタ層のうちの１つの交換が可能なように取り外し可能である。グリルは、機器のケーシングにねじ止め又はスナップ嵌めされることが多い。
【発明の概要】
【発明が解決しようとする課題】
【０００４】
本発明の目的は、互いに嵌まり合う少なくとも２つの部品で形成された交換用グリルを提供することである。
【課題を解決するための手段】
【０００５】
第１の態様によれば、本発明は、ヘアケア機器であって、流体入口を一端に有するハンドルと、電力ケーブルとを備え、流体入口が、電力ケーブルを少なくとも部分的に取り巻いて形成されて、２つの部品から形成されたフィルタグリルを含む機器を提供する。
【０００６】
２つの部品は、後で取り付けられる独立した個別要素である。
【０００７】
フィルタグリルは、ハンドルの長さに少なくとも部分的に沿って延びることが好ましい。
【０００８】
好ましい実施形態では、ハンドル及びフィルタグリルが円筒形である。
【０００９】
好ましい実施形態では、フィルタグリルの２つの部品が互いに結合して組立グリルを形成する。
【００１０】
組立グリルは、機器のハンドルから取り外し可能であることが好ましい。
【００１１】
好ましい実施形態では、組立グリルが、機器のハンドルから取り外された時に電力ケーブルの周囲に保持される。
【００１２】
フィルタグリルの２つの部品は、重なり接合部（ｌａｐ  ｊｏｉｎｔ）を介して結合することが好ましい。
【００１３】
好ましい実施形態では、フィルタグリルが第１の端部及び第２の端部を有し、重なり接合部が第１の端部から第２の端部に延びる。
【００１４】
重なり接合部は、組み合わさることが好ましい。従って、フィルタグリルの２つの部品の各々は、フィルタグリルの外面及び内面を連続して形成する。外面は、フィルタグリルの半径方向外側の面であり、フィルタグリルを機器に取り付けた時に見える面である。内面は、フィルタグリルの半径方向内側の面である。
【００１５】
好ましい実施形態では、２つの部品が区分において接合される。
【００１６】
フィルタグリルは外面を有し、２つの部品は、第１の部品及び第２の部品を含むことが好ましい。
【００１７】
好ましい実施形態では、フィルタグリルが第１の区分を含み、第１の区分では、第１の部品が外面を構成する。
【００１８】
フィルタグリルは第２の区分を含み、第２の区分では、第２の部品が外面を構成することが好ましい。
【００１９】
好ましい実施形態では、フィルタグリルが第３の区分を含み、第３の区分では、第１の部品が外面を構成する。
【００２０】
フィルタグリルは第４の区分を含み、第４の区分では、第１の部品が外面を構成することが好ましい。第４の区分は、ハンドルの端部を横切って広がることが好ましい。
【００２１】
第１の部品及び第２の部品のうちの外面を構成する一方の部品は、フィルタグリルの外面から半径方向内向きに延びる複数の突起を含むことが好ましい。第１の部品及び第２の部品のうちのフィルタグリルの外面を構成しない他方の部品は、複数の突起を受け取るように適合された複数の開口部を含むことが好ましい。このことは、重なり接合部の近傍のフィルタグリルの外面が滑らかであり、２つの部品を組み立てた時に突起と開口部との噛み合いが隠れることを意味する。
【００２２】
第１の部品及び第２の部品は、重なり接合部に隣接する、フィルタグリルの厚みが減少した領域を共に含む。フィルタグリルは、公称厚さｔを有し、重なり接合部に隣接する領域における減少した厚みに突起の深さを加えたものが公称厚さｔとほぼ同じであることが好ましい。
【００２３】
１つの好ましい実施形態では、２つの部品が３つの区分において接合され、中間区分では一方の部品が外面を構成し、その隣接区分では第２の部品が外面を構成する。
【００２４】
重なり接合部は、一般にハンドルの長手方向軸Ｘ−Ｘと平行に延び、このことは、見た目に審美的であるとともに、ケーブルの周囲における２つの部品の取り付けが単純化されるという技術的利点も有する。３つの区分の各々は、長手方向軸Ｘ−Ｘと平行であるが、中間区分は、隣接区分に対してオフセットされる。従って、隣接区分間の各交点では、部品間で外面が切り替わるので、重なり接合部が中間区分から隣接区分にかけて湾曲する。
【００２５】
フィルタグリルは、ハンドルの端部を少なくとも部分的に横切って広がることが好ましい。
【００２６】
好ましい実施形態では、２つの部品が、ハンドルの端部を横切って接合される。ハンドルの端部を横切って延びる接合部分は、重なり接合部の第４の部分を構成することが好ましい。２つの部品がハンドルの端部を横切って接合される場合、接合部を形成するそれぞれの突起及び開口部は、他の穴及び突起から半径方向に離間又はオフセットされることが好ましい。
【００２７】
第２の態様によれば、フィルタグリルと内部フィルタとで形成された流体入口を備え、フィルタグリルが２つの別個の部品から形成されるヘアケア機器が提供される。
【００２８】
２つの別個の部品は、流体入口の少なくとも１つの開口部をそれぞれ含むことが好ましい。
【００２９】
好ましい実施形態では、フィルタグリルが樽形である。フィルタグリルは、基本的に管状である。機器は、ハンドルを含み、フィルタグリルは、ハンドルの外壁の続きを形成することが好ましい。
【００３０】
２つの別個の部品は、重なり接合部を介して互いに結合することが好ましい。
【００３１】
好ましい実施形態では、別個の部品が、一対の重なり接合部を介して互いに結合する。
【００３２】
重なり接合部は、組み合わさることが好ましい。
【００３３】
好ましい実施形態では、フィルタグリルが外面を有し、２つの部品の各々が、重なり接合部に沿って外面の一部を形成する。
【００３４】
第３の態様によれば、本発明は、ヘアケア機器上のフィルタグリルを交換する方法であって、
（ａ）フィルタグリルを２つの部品で準備するステップと、
（ｂ）２つの部品を互いに連結することによってフィルタグリルを組み立てるステップと、
（ｃ）フィルタグリルを機器に取り付けるステップと、を含む方法を提供する。
【００３５】
機器は、外壁を有するハンドルを含み、フィルタグリルは、機器に取り付けられた時に、ハンドルの外壁の続きを形成することが好ましい。
【００３６】
機器は、電力ケーブルを含み、フィルタグリルは、電力ケーブルの周囲に組み立てられることが好ましい。
【００３７】
好ましい実施形態では、機器がヘアケア機器であり、好ましくはヘアドライヤ又は温風整髪装置である。
【００３８】
以下、添付図面を参照しながら本発明を一例として説明する。
【図面の簡単な説明】
【００３９】
【図１ａ】本発明によるフィルタグリルを使用できる機器の例を示す図である。
【図１ｂ】フィルタグリルを取り外した図１ａの機器を示す図である。
【図２】機器に取り付けられたフィルタグリルの側面図である。
【図３】フィルタグリルの２つの部品の等角図である。
【図４ａ】本発明によるフィルタグリルの１つの部品の等角図である。
【図４ｂ】本発明によるフィルタグリルの１つの部品の等角図である。
【図５ａ】図４ｂに示すフィルタグリルの１つの部品の部分的側面図である。
【図５ｂ】図４ｂに示すフィルタグリルの１つの部品の部分的側面図である。
【図６】機器に取り付けられた本発明による別のフィルタグリルの側面図である。
【図７】別のフィルタグリルの１つの部品の等角図である。
【図８ａ】図６に示すフィルタグリルの第１の接合部の表側の部分的側面図である。
【図８ｂ】図６に示すフィルタグリルの第１の接合部の裏側の部分的側面図である。
【図９】図６のフィルタグリルの端壁を示す図である。
【発明を実施するための形態】
【００４０】
図１ａに、この例ではハンドル２０と本体３０とを含むヘアドライヤ１０である手持型機器の例を示す。ハンドル２０は、本体３０に接続された第１の端部２２と、本体３０からの遠位側に存在する、一次流体入口４０を含む第２の端部２４とを有する。ヘアドライヤ１０には、ケーブル５０を介して電力が供給される。ケーブル５０のヘアドライヤ１０からの遠位端には、例えば主電源又はバッテリパックへの電気的接続をもたらすプラグ（図示せず）が設けられる。
【００４１】
ハンドル２０は、本体３０からハンドル２０の遠位端２４に向かって延びる外壁２００を有する。ハンドル２０は、長手方向軸Ｘ−Ｘを有し、外壁２００は、この軸Ｘ−Ｘに沿って本体３０から遠位端２４に向かって延びる。ハンドル２０の一次流体入口４０は、２つの濾過層を有し、第１の層は、フィルタグリル１４０であり、第２の層は、フィルタグリル１４０の内部に存在する、さらに細かなフィルタメッシュ１３０である（図１ｂ）。
【００４２】
フィルタグリル１４０は、ハンドル２０の長手方向軸Ｘ−Ｘと平行にフィルタグリル１４０に沿ってその周囲に広がる第１の開口部４２と、この実施形態ではフィルタグリル１４０の端壁１５０の周囲に広がる第２の開口部４６とを含む。ケーブル５０は、端壁１５０のほぼ中心に位置し、従ってハンドル２０の中心から延びる。
【００４３】
ケーブル５０は、ユーザの手の中のハンドル２０の向きに関係なくヘアドライヤの平衡が保たれるという理由で、ハンドル２０の中心から延びることが好ましい。また、ユーザがハンドル２０上で手の位置を動かした場合でも、手に対するケーブル５０の位置が変化しないので、ケーブル５０から引っ張られることがない。仮にケーブルの中心をずらしてハンドルの片側に近付けた場合、ヘアドライヤの重量分布が向きによって変化し、ユーザの気が散ってしまう。
【００４４】
一次流体入口４０の上流には、ファンユニット（図示せず）が設けられる。ファンユニットは、ファン及びモータを含む。ファンユニットは、使用時に流体入口４０を通じて流体を引き込み、この流体は、内部流体流路に沿ってヒータ（図示せず）を通って任意に加熱された後に、本体３０の流体出口４４０によって排出される。
【００４５】
フィルタグリル１４０は、取り外し可能な物品である。フィルタグリル１４０は、取り外されるとケーブル５０上に保持されて、洗浄を目的としたフィルタメッシュ１３０へのアクセスを可能にする。フィルタグリル１４０が損傷しても機器は機能し続けるが、損傷したフィルタグリルは、新しいものに交換することが好ましい。フィルタグリル１４０は、ハンドル２０の遠位端２４に隣接してケーブル５０の周囲に設けられた張力緩和部５２に適合するサイズの開口部１４２を有するので、問題が存在する。開口部１４２は、ケーブル５０の機器１０からの遠位端に設けられたプラグ（図示せず）のサイズよりも小さい。従って、交換用フィルタグリルは、ケーブル５０の周囲に取り付けられる２つの部品１４４、１４６の形で提供される。このため、フィルタグリル１４０を交換するために機器からプラグ（図示せず）を取り外す必要がない。
【００４６】
特に図２〜図５ｂを参照すると、この実施形態では、フィルタグリル１４０の２つの部品１４４、１４６が、ハンドル２０の外壁２００に隣接する第１の端部１４０ａから端壁１５０を含む第２の端部１４０ｂまでのフィルタグリルの長さに沿って接合される。第１の部品１４４と第２の部品１４６との間の接合部は、フィルタグリル１４０の開口部４２、４６を迂回するあらゆる浮遊流体を減少させるために重なり合い、重なり接合部として形成される。
【００４７】
この重なり接合部は、第１の部品１４４及び第２の部品１４６の各々の縁部１４４ａ、１４４ｂ及び１４６ａ、１４６ｂにそれぞれ近接する薄肉領域から形成される。重なり接合部は、アンダーレイとオーバーレイとを有し、オーバーレイがグリルの外面を形成する。アンダーレイは、複数の穴１６０を含み、オーバーレイは、２つの部品のうちの他方の部品の穴１６０に収容されるように適合された複数の突起１７０を含む。従って、２つの部品１４４、１４６を接合すると、突起１７０が穴１６０内に係合する。突起１７０は、形状が非対称であり、突起１７０が穴１６０に係合できるように、穴１６０を収容する第１の薄肉領域１６２と突起１７０を収容する第２の薄肉領域１７４とが互いに撓むのを支援する傾斜した第１の側面１７２を有する。
【００４８】
また、フィルタグリル１４０の２つの部品１４４、１４６は区分において接合され、隣接する区分では２つの部品１４４、１４６のうちの異なる一方の部品がフィルタグリル１４０の外面１４８を構成することができる。異なる区分を有する１つの理由は、接合を強固にするためである。
【００４９】
全ての穴は、ハンドル２０の長手方向軸Ｘ−Ｘと平行であり、全ての突起も、ハンドル２０の長手方向軸Ｘ−Ｘと平行であり、外面を構成する部品が重なり接合部の長さに沿って入れ替わることによって整合が可能になり、重なり接合部の分割線１８０は、ハンドル２０の長手方向軸Ｘ−Ｘと平行な部分及び非平行な部分を有する。
【００５０】
第１の部品１４４と第２の部品１４６とは同一であり、従って第１の部品１４４及び第２の部品１４６の各々をケーブル５０の周囲に配置すると、各部品の両側が互いに向かい合ってこれらの連結を可能にする。
【００５１】
以下、フィルタグリル１４０の第１の部品１４４と第２の部品１４６との間の第１の接合部１００について説明する。この第１の接合部１００は、ハンドル２０の外壁２００に隣接するフィルタグリル１４０の第１の端部１４０ａから始まって、第１の区分１０２、第２の区分１０４、第３の区分１０６、そして端壁１５０内に第４の区分１０８を有する。第１の区分１０２、第３の区分１０６及び第４の区分１０８では、フィルタグリル１４０の第２の部品１４６がその外面１４８を構成する。第２の区分１０４では、フィルタグリル１４０の第１の部品１４２がその外面１４８を構成する。この実施形態では、第１の区分１０２、第２の区分１０４及び第３の区分１０６が隣接区分であり、ここでは２つの部品１４４、１４６のうちの異なる一方の部品がフィルタグリル１４０の外面１４８を構成する。
【００５２】
この実施形態の第４の区分１０８では、フィルタグリルの２つの部品の各々の連結部を形成するそれぞれの穴１６０ａと突起１７０ａとが、他の全ての穴及び突起からオフセットされる。仮にこの穴と突起の対が整列している場合、重なり接合部の分割線は、端壁とフィルタグリルの残り部分との間の接合部にわたって湾曲する必要がある。この実施形態では、端壁が円錐形であることによって成形が複雑であり、そのため分割線がハンドル２０の長手方向軸Ｘ−Ｘと平行であり続け、これらの突起と穴が分割線及び他の穴と突起から半径方向に離間する。また、この結果、第３及び第４の隣接区分では、フィルタグリル１４０の外面１４８が第２の部品１４６上に留まるようになる。
【００５３】
従って、この重なり接合部は、組み合わさった区分から形成され、第１の部品１４２及び第２の部品１４４の各々は、重なり接合部のオーバラップ部分とアンダーラップ部分とを連続して形成する。
【００５４】
フィルタグリル１４０の第１の部品１４４と第２の部品１４６との間の第２の接合部１２０も同様に形成され、この実施形態では第１の接合部１００の鏡像であるが、これは必須ではない。この第２の接合部１２０は、ハンドル２０の外壁２００に隣接するフィルタグリル１４０の第１の端部１４０ａから始まって、第１の区分１２２、第２の区分１２４、第３の区分１２６、そして端壁１５０内に第４の区分１２８を有する。第１の区分１２２、第３の区分１２６及び第４の区分１２８では、フィルタグリル１４０の第１の部品１４４がその外面１４８を構成する。第２の区分１０４では、フィルタグリル１４０の第１の部品１４２がその外面１４８を構成する。
【００５５】
この実施形態では、突起１７０を含む区分が外面１４８を形成しているが、このことは、第１の接合部１００及び第２の接合部１２０の各々における外面１４８が滑らかであることを意味するので好ましい。
【００５６】
以下、図６〜図９を参照しながら第２の実施形態について説明する。この実施形態では、図１〜図５に関連して図示し既に説明した構成要素が同じ参照数字を有する。この実施形態では、第１の実施形態と比較すると重なり接合部が反転している。
【００５７】
フィルタグリル２４０の２つの部品２４４、２４６は区分において接合され、隣接する各区分では２つの部品２４４、２４６のうちの異なる一方の部品がフィルタグリル２４０の外面２４８を構成することができる。この実施形態では４つの区分が存在するが、これは必須ではない。区分を有する１つの理由は、接合を強固にするためである。
【００５８】
以下、フィルタグリル２４０の第１の部品２４４と第２の部品２４６との間の第１の接合部３００について説明する。フィルタグリル２４０は、ハンドル２０の外壁２００に隣接する第１の端部２４０ａを有する。この第１の接合部３００は、フィルタグリル２４０の第１の端部２４０ａから始まって、第１の区分２０２、第２の区分２０４、第３の区分２０６、そして端壁１５０内に第４の区分２０８を有する。第１の区分２０２、第３の区分２０６及び第４の区分２０８では、フィルタグリル２４０の第１の部品２４４がその外面２４８を構成する。第２の区分２０４では、フィルタグリル２４０の第２の部品２４６がその外面２４８を構成する。
【００５９】
従って、この重なり接合部は、組み合わさった区分から形成され、第１の部品２４４及び第２の部品２４６の各々は、重なり接合部のオーバラップ部分とアンダーラップ部分とを連続して形成する。
【００６０】
フィルタグリル２４０の第１の部品２４４と第２の部品２４６との間の第２の接合部（図示せず）も同様に形成され、この実施形態では第１の接合部３００の鏡像である。この第２の接合部の片方を図７に示す。この第２の接合部は、フィルタグリル２４０の第１の端部２４０ａから始まって、第１の区分２２２、第２の区分２２４、第３の区分２２６、そして端壁１５０内に第４の区分２２８を有する。第１の区分２２２、第３の区分２２６及び第４の区分２２８では、フィルタグリル２４０の第１の部品２４４がその外面２４８を構成する。第２の区分２０４では、フィルタグリル２４０の第１の部品２４４がその内面２５０を構成する。
【００６１】
ヘアドライヤに関して本発明を詳細に説明したが、本発明は、流体を吸い込んでこの流体を機器から流出させるように導くあらゆる機器に適用可能である。
【００６２】
機器は、ヒータの有無に関わらず使用することができ、流体が高速で流出する作用には乾燥効果がある。
【００６３】
一般に、機器内を流れる流体は空気であるが、数種類又は１種類の気体の異なる組み合わせであってもよく、機器の性能、或いは出力が向けられる毛髪などの物体及びそのスタイリングに機器が与える影響を改善する添加物を含むこともできる。
【００６４】
本発明は、上述した詳細な説明に限定されるものではない。当業者には、変形例が明らかであろう。
【図１ａ】
2018149286.tif 000003
【図１ｂ】
2018149286.tif 000004
【図２】
2018149286.tif 000005
【図３】
2018149286.tif 000006
【図４ａ】
2018149286.tif 000007
【図４ｂ】
2018149286.tif 000008
【図５ａ】
2018149286.tif 000009
【図５ｂ】
2018149286.tif 000010
【図６】
2018149286.tif 000011
【図７】
2018149286.tif 000012
【図８ａ】
2018149286.tif 000013
【図８ｂ】
2018149286.tif 000014
【図９】
2018149286.tif 000015